(57)【要約】【課題】  パソコンとＵＳＢ接続した指紋照合装置に外部電源を接続することなく、指紋照合にかかる時間を短くする。【解決手段】  パソコン２とＵＳＢ接続された指紋照合装置１において、パソコン２から指紋照合装置１に電力を供給する電源線４ｂに充電用コンデンサ１４を設け、パソコン２から指紋照合装置１に電力が供給される際に、カードリーダー部７および指紋照合部６のいずれにも使用されない余剰電力を充電用コンデンサ１４に充電できるようにした。  このような構成とすることにより、指紋照合部６およびカードリーダー部７を同時に動作させるための電源コネクタやＡＣアダプターを別途接続する必要がなくなり、ＵＳＢの利便性を損なうことのない、優れた指紋照合装置１を得ることができる。【選択図】      図１
2006185086.tif 000002
【特許請求の範囲】
【請求項１】
コンピュータと接続され、このコンピュータから電力を供給するための電源線と、
前記電源線と接続され、指紋データを格納したカードから前記指紋データを読み取るためのカードリーダー部と、
前記電源線と接続され、前記カードリーダー部で読み取られた指紋データと照合する指紋画像を取り込むための指紋照合部と、
一方の端子が前記電源線と接続され、他方の端子が接地され、前記カードリーダー部および前記指紋照合部の少なくとも一方が非動作状態の間に前記コンピュータから余剰電力を充電するための充電用コンデンサと、
前記カードリーダー部、前記指紋照合部、および前記充電用コンデンサと接続され、前記カードリーダー部および前記指紋照合部の少なくとも一方が非動作状態の間に前記充電用コンデンサを充電し、前記カードリーダー部および前記指紋照合部の両方が動作状態にある間に前記余剰電力を前記カードリーダー部および前記指紋照合部に供給する制御手段と、
を含むことを特徴とする指紋照合装置。
【請求項２】
前記コンピュータとの指示を伝達するためのデータ線と、前記電源線とを備えたＵＳＢケーブルにより前記コンピュータと接続されていることを特徴とする請求項１に記載の指紋照合装置。
【請求項３】
前記カードリーダー部および前記指紋照合部の消費電流を測定するための消費電流モニターを前記電源線に備えたことを特徴とする請求項１又は２に記載の指紋照合装置。
【請求項４】
前記余剰電力は、前記消費電流モニターで測定される消費電流の値により、前記指紋照合部および前記カードリーダー部の少なくとも一方が非動作状態であると判断した場合に、前記コンピュータから供給されることを特徴とする請求項３に記載の指紋照合装置。
【発明の詳細な説明】
【技術分野】
【０００１】
本発明は、パソコン（パーソナル・コンピュータ）とＵＳＢ（Universal Serial Bus）接続され、非接触ＩＣカードに予め格納された指紋データとユーザーの指紋照合を行う指紋照合装置に関するものである。
【背景技術】
【０００２】
パソコン用のI/F（インターフェース）バスとして、ＵＳＢが広く用いられている。ＵＳＢの接続ケーブルはデータや指示を送受信するためのデータ線の他に、パソコンとＵＳＢ接続した機器にパソコンから電力を供給するための電源線を含んでいる（例えば、特許文献１参照）。
パソコンとＵＳＢ接続した機器の例として、個人認証を行うための指紋照合装置などが挙げられる。
【０００３】
図５は、パソコン２とＵＳＢ接続した従来の指紋照合装置を示す構成図である。指紋照合装置１およびパソコン２は、データ線４ａおよび電源線４ｂからなるＵＳＢケーブル４により接続されている。そして指紋照合装置１とパソコン２は、データ線４ａを介してデータの送受信、指示のやりとりが相互にできるように接続され、電源線４ｂを介してパソコン２から指紋照合装置１に電力を供給することができる。
さらに指紋照合装置１はＵＳＢマイコン５を備え、その内部でＵＳＢI/F３ａを介して、ＣＰＵ１５、指紋照合部電源制御I/F１７、指紋照合部制御I/F１８、非接触ＩＣカード（以下、単に「カード」という）リーダー部電源制御I/F１９、およびカードリーダー部制御I/F２０が相互に接続されている。
【０００４】
ＵＳＢ電源８はスイッチ９を介して指紋照合部６の電源１１と接続され、さらにスイッチ１０を介してカードリーダー部７の電源１２と接続されている。
指紋照合部６はユーザーの指紋画像を取り込むことができ、カードリーダー部７はユーザーのカード２１に格納された指紋データを読み取ることができる。
また、ＵＳＢ電源８から供給される電力が不足する場合に、電力を補うためのＡＣアダプター２５が電源コネクタ２４を介して、電源１１および電源１２と接続されている。
【０００５】
次に、図５に示した指紋照合装置１を用いて個人認証を行う動作について説明する。
まず、指紋照合装置１がパソコン２から指紋照合指示を受けると、ＣＰＵ１５はスイッチ１０をＯＮさせて、ＵＳＢ電源８からカードリーダー部７に電力を供給する。そしてカードリーダー部７がカード２１に予め格納された指紋データを読み取ると、スイッチ１０をＯＦＦさせて、カードリーダー部７の動作を停止させる。
次に、ＣＰＵ１５はスイッチ９をＯＮさせて、ＵＳＢ電源８から指紋照合部６に電力を供給する。そして指紋照合部６がユーザーの指紋画像を取り込み、カード２１より読み取った指紋データとの照合を行う。この後、ＣＰＵ１５はスイッチ９をＯＦＦさせて指紋照合部６の動作を停止させる。
【０００６】
上述した動作において、カード２１の指紋データ読み取りと、ユーザーの指紋画像取り込みとを同時に行う際には、外部のＡＣアダプター２５から電源コネクタ２４を経由して指紋照合部６およびカードリーダー部７に適宜電力を供給する。
【０００７】
【特許文献１】特開２０００−２９５４４号公報
【発明の開示】
【発明が解決しようとする課題】
【０００８】
上記従来の指紋照合装置は、ＵＳＢ電源８からの電力供給のみでは十分な電力が得られないため、カード２１の指紋データ読み取りと、ユーザーの指紋画像の取り込みとを同時に行うことができなかった。このため、動作する部分にのみ電力が供給されるようにして、上記二つの動作を別々に行うようにしていた。
そうすると、指紋照合にかかる全体の時間が長くなるという問題があった。
【０００９】
また、上述の二つの動作を同時に行うためには、指紋照合装置に別途電源コネクタを設け、ＡＣアダプターを外部から接続する必要があった。そうすると、ＵＳＢの利便性を損なってしまうという問題があった。
【００１０】
本発明は上記課題を解決するためになされたもので、ＵＳＢの利便性を損なうことなく、指紋照合にかかる全体の時間を短縮することができる指紋照合装置を提供することを目的とする。
【課題を解決するための手段】
【００１１】
本発明に係る指紋照合装置は、コンピュータと接続され、このコンピュータから電力を供給するための電源線と、前記電源線と接続され、指紋データを格納したカードから前記指紋データを読み取るためのカードリーダー部と、前記電源線と接続され、前記カードリーダー部で読み取られた指紋データと照合する指紋画像を取り込むための指紋照合部と、一方の端子が前記電源線と接続され、他方の端子が接地され、前記カードリーダー部および前記指紋照合部の少なくとも一方が非動作状態の間に前記コンピュータから余剰電力を充電するための充電用コンデンサと、前記カードリーダー部、前記指紋照合部、および前記充電用コンデンサと接続され、前記カードリーダー部および前記指紋照合部の少なくとも一方が非動作状態の間に前記充電用コンデンサを充電し、前記カードリーダー部および前記指紋照合部の両方が動作状態にある間に前記余剰電力を前記カードリーダー部および前記指紋照合部に供給する制御手段とを含むことを特徴とする。
本発明のその他の特徴については、以下において詳細に説明する。
【発明の効果】
【００１２】
本発明によれば、ＵＳＢの利便性を損なうことなく、指紋照合にかかる全体の時間を短縮することができる指紋照合装置を得ることができる。
【発明を実施するための最良の形態】
【００１３】
以下、図面を参照しながら本発明の実施の形態について説明する。なお、各図において同一または相当する部分には同一符号を付して、その説明を簡略化ないし省略する。
【００１４】
実施の形態１．
図１は、本発明の実施の形態に係る指紋照合装置である。まず、この装置の構成について説明する。指紋照合装置１は、例えば特定者のみが入場できるような建物の入り口に設置された個人認証システムの一部として用いられる。
【００１５】
図１に示すように、指紋照合装置１は、ユニバーサル・シリアル・バス（Universal Serial Bus；以下、「ＵＳＢ」という）ケーブル４によりパーソナル・コンピュータ（以下、「パソコン」という）２とＵＳＢ接続され、ＵＳＢマイコン５、指紋照合部６、および非接触ＩＣカード（以下、単に「カード」という）リーダー部７、ＵＳＢ電源８を備えている。
【００１６】
指紋照合装置１およびパソコン２は、データ線４ａおよび電源線４ｂからなるＵＳＢケーブル４により接続され、ＵＳＢインターフェース（以下、「I/F」という）３ａ、データ線４ａ、ＵＳＢI/F３ｂを経由してデータの送信、指示のやりとりが相互にできるように接続されている。また、指紋照合装置１は、電源線４ｂ、ＵＳＢI/F３ｂを介してパソコン２から電力を供給できるように接続されている。このようにしてＵＳＢケーブル４により、指紋照合装置１とパソコン２がＵＳＢ接続されている。
すなわち、指紋照合装置１は、パソコン２との指示やデータを伝達するためのデータ線４ａと、パソコン２から電力を供給するための電源線４ｂとを備えたＵＳＢケーブルによりパソコン２と接続されている。
【００１７】
ＵＳＢ電源８は電源線４ｂ、スイッチ９を介して指紋照合部６の電源１１と接続され、さらに電源線４ｂ、スイッチ１０を介してカードリーダー部７の電源１２と接続されている。
カードリーダー部７は電源線４ｂと接続され、指紋データを格納したカード２１から指紋データを読み取ることができる。そして指紋照合部６は電源線４ｂと接続され、カードリーダー部７で読み取られた指紋データと照合するユーザーの指紋画像を取り込むことができる。
【００１８】
そしてＵＳＢ電源８とスイッチ９との間に、電源線４ｂ、スイッチ１３を介して充電用コンデンサ１４が接続されている。
充電用コンデンサ１４は、一方の端子が電源線４ｂと接続され、他方の端子が接地されている。そしてカードリーダー部７および指紋照合部６の少なくとも一方が非動作状態の間にパソコン２から余剰電力を充電することができる。
【００１９】
ＵＳＢマイコン５は、制御手段として、ＵＳＢI/F３ａを経由してパソコン２と接続されたＣＰＵ１５を備えている。そしてＣＰＵ１５を介して充電用コンデンサ電源制御I/F１６、指紋照合部電源制御I/F１７、指紋照合部制御I/F１８、カードリーダー部電源制御I/F１９、およびカードリーダー部制御I/F２０が相互に接続されている。
【００２０】
ＣＰＵ１５は充電用コンデンサ電源制御I/F１６を介して充電用コンデンサ１４のスイッチ１３と接続されている。また、ＣＰＵ１５は指紋照合部電源制御I/F１７を介して指紋照合部６のスイッチ９と接続され、指紋照合部制御I/F１８を介して指紋照合部６と接続されている。さらにＣＰＵ１５はカードリーダー部電源制御I/F１９を介してカードリーダー部７のスイッチ１０と接続され、カードリーダー部制御I/F２０を介してカードリーダー部７と接続されている。
【００２１】
このようにＣＰＵ１５（制御手段）は、カードリーダー部７のスイッチ１０、指紋照合部６のスイッチ９、および充電用コンデンサ１４のスイッチ１３と接続され、指紋照合部６およびカードリーダー部７の少なくとも一方が非動作状態の間に、充電用コンデンサ電源制御I/F１６を介してスイッチ１３をＯＮさせ、パソコン２から指紋照合装置１に余剰電力を供給し、充電用コンデンサ１４を充電することができる。
そしてＣＰＵ１５は指紋照合部６およびカードリーダー部７の両方が動作状態にある間に、充電用コンデンサ１４に充電された余剰電力を指紋照合部６およびカードリーダー部７に供給することができる。
【００２２】
このようにしておくと、指紋照合部６およびカードリーダー部７のどちらかが非動作状態の間にパソコン２より供給される余剰電力を充電用コンデンサ１４に充電することができる。そして指紋照合部６およびカードリーダー部７の両方を同時に動作させるとき、ＵＳＢ８から供給されるＵＳＢ電力に加えて、充電用コンデンサ１４に充電した余剰電力を供給することにより、指紋照合装置１の全体を動作させることができる。
これにより、指紋照合部６およびカードリーダー部７を同時に動作させるための電源コネクタやＡＣアダプターを接続することなく、ユーザーの指紋画像取り込みと、カード２１の指紋データの読み取りを同時に行うようにした指紋照合を行うことができる。従って、ＵＳＢの利便性を損なうことなく指紋照合に要する全体の時間を短縮することができる。
【００２３】
次に、図１で示した指紋照合装置１の動作について説明する。
図２は、図１で示した指紋照合装置１の動作を説明するためのフローチャートである。以下、図１および図２を参照しながら、本実施の形態に係る指紋照合装置１の動作を説明する。
【００２４】
まず、指紋照合装置１およびパソコン２の電源立ち上げを行う（Ｓ１）。
次に、指紋照合装置１が待機状態に入った後、ＣＰＵ１５は充電用コンデンサ電源制御I/F１６を介して充電用コンデンサ１４のスイッチ１３をＯＮさせる。そしてパソコン２からＵＳＢI/F３ｂ、電源線４ｂを経由して指紋照合装置１に余剰電力を供給し、充電用コンデンサ１４を充電する（Ｓ２）。
充電が完了すると、ＣＰＵ１５は充電用コンデンサ電源制御I/F１６を介して充電用コンデンサ１４のスイッチ１３をＯＦＦさせる（Ｓ３）。
【００２５】
上述の例では、指紋照合装置１およびパソコン２の電源立ち上げ（Ｓ１）を行った後、指紋照合部６およびカードリーダー部７の両方が非動作状態の間に、パソコン２から供給される余剰電力を充電用コンデンサ１４に充電（Ｓ２）するようにした。
しかし、指紋照合部６およびカードリーダー部７の両方が非動作状態の間のみではなく、いずれか一方が非動作状態の間に、上記の充電を行うようにしても良い。
すなわち、指紋照合部６およびカードリーダー部７のうち、少なくとも一方が非動作状態の間に、パソコン２から供給される余剰電力を充電用コンデンサ１４に充電するようにしても良い。
【００２６】
例えば、この後に指紋照合部６およびカードリーダー部７の動作を同時に開始する場合を想定する。指紋照合部６の動作（ユーザーの指紋画像を取り込む動作）に要する時間がカードリーダー部７の動作（カード２１から指紋データを読み取る動作）に要する時間よりも長い場合には、カードリーダー部７の動作が終了した後、指紋照合部６のみが動作している間に上記充電を行うようにする。
逆に、カードリーダー部７の動作に要する時間が指紋照合部６の動作に要する時間よりも長い場合には、指紋照合部６の動作が終了した後、カードリーダー部７のみが動作している間に上記充電を行うようにする。
【００２７】
次に、指紋照合を行うユーザーの操作により、指紋照合指示がパソコン２のＵＳＢI/F３ｂ、データ線４ａ、ＵＳＢI/F３ａを経由してＣＰＵ１５に伝達される（Ｓ４）。
指紋照合指示を受けたＣＰＵ１５は、指紋照合部電源制御I/F１７を介して指紋照合部６のスイッチ９をＯＮさせ、これと同時にカードリーダー部電源制御I/F１９を介してカードリーダー部７のスイッチ１０をＯＮさせる。すると充電用コンデンサ１４に充電された余剰電力が放電し、ＵＳＢ電源８から供給される電力に加えて、この電力を指紋照合部６、およびカードリーダー部７に供給する（Ｓ５）。
【００２８】
次に、ＣＰＵ１５は指紋照合部制御I/F１８を介して指紋照合部６を動作させて、ユーザーの指紋画像の取り込みを行う。これと同時に、ＣＰＵ１５はカードリーダー部制御I/F２０を介してカードリーダー部７を動作させて、カード２１に予め格納された指紋データの読み込みを行う。すなわち、指紋照合部６およびカードリーダー部７を同時に動作させて、ユーザーの指紋画像取り込みと、カードの指紋データの読み取りとを同時に行う（Ｓ６）。
【００２９】
このとき、図２に示したＳ２においてパソコン２から充電用コンデンサ１４に余剰電力を充電するようにしたので、指紋照合部６およびカードリーダー部７を同時に動作させても、これらの動作に必要な電力が不足することがない。
これにより、指紋照合部６およびカードリーダー部７を同時に動作させるための電源コネクタやＡＣアダプターをこれらの電源に接続しなくても、上記の動作を同時に行うことができる。従って、ＵＳＢの利便性を損なうことなく指紋照合に要する全体の時間を短縮することができる。
【００３０】
次に、ＣＰＵ１５は指紋照合部電源制御I/F１７を介して指紋照合部６のスイッチ９をＯＦＦさせ、これと同時にカードリーダー部電源制御I/F１９を介してカードリーダー部７のスイッチ１０をＯＦＦさせる（Ｓ７）。
【００３１】
次に、ＣＰＵ１５は、指紋照合部６で取り込んだユーザーの指紋画像を指紋照合部制御I/F１８を介してＣＰＵ１５に伝達させる。これと同時に、ＣＰＵ１５はカードリーダー部７で読み取った指紋データをカードリーダー部制御I/F２０を介してＣＰＵ１５に伝達させる。
そしてＣＰＵ１５は、カードリーダー部７で読み込まれた指紋データと、指紋照合部６で取り込まれたユーザーの指紋画像が一致するか否かを判断する（Ｓ８）。一致したと判断された場合は、ＣＰＵ１５はＵＳＢI/F３ａ、データ線４ａ、およびＵＳＢI/F３ｂを介してパソコン２に「ＯＫ」を表示させる（Ｓ９）。一致しないと判断された場合には、「ＮＧ」を表示させる（Ｓ１０）。
【００３２】
Ｓ９においてパソコン２に「ＯＫ」と表示された場合は、引き続き別のユーザーによる指紋照合の指示があるか否かを判断する（Ｓ１１）。指示があると判断された場合には、パソコン２から指紋照合装置１に電力を供給して充電用コンデンサ１４を充電するステップ（Ｓ２）に戻る。
一方、Ｓ１０においてパソコン２に「ＮＧ」と表示された場合は、パソコン２に「再照合しますか？」とのメッセージを表示させ、ユーザーに再照合するか否かを判断させる（Ｓ１２）。ユーザーが「再照合する」を選択した場合には、パソコン２から指紋照合装置１に電力を供給して充電用コンデンサ１４を充電するステップ（Ｓ２）に戻る。ユーザーが「再照合しない」を選択した場合には、別のユーザーの指紋照合があるか否かを判断するステップ（Ｓ１１）へ移行する。
【００３３】
Ｓ１１のステップにおいて別のユーザーの指紋照合指示がないと判断された場合には、指紋照合装置１およびパソコン２の電源立ち下げを行う（Ｓ１３）。この判断方法として、例えばＳ１１においてパソコン２に「ＯＫ」の表示がされた後、パソコン２から指紋照合の指示が一定時間以上なされない場合に、指紋照合指示がないものとする。
【００３４】
すなわち、本実施の形態に係る指紋照合装置１は、装置内部に充電用コンデンサ１４を組み込み、指紋照合部６およびカードリーダー部７の少なくとも一方が非動作状態（待機時）の間に、パソコン２から指紋照合装置１に供給される余剰電力を充電用コンデンサ１４に充電するようにしたものである。そして指紋照合部６およびカードリーダー部７を同時に動作させるとき、パソコン２から供給されるＵＳＢ電源８からの電力に加えて、充電用コンデンサ１４に充電した電力を合わせて供給することにより、電力の供給不足を防ぐことができる。
これにより、ユーザーの指紋データ画像取り込みと、カード２１からのデータ読み込みとを同時に行うことができる。従って、ＵＳＢの利便性を損なうことなく、指紋照合に要する全体の時間を短縮することができる。
【００３５】
以上説明したように、本実施の形態に係る指紋照合装置１は、パソコン２と接続され、パソコン２から電力を供給するための電源線４ｂと、電源線４ｂと接続され、指紋データを格納したカード２１から指紋データを読み取るためのカードリーダー部７と、電源線４ｂと接続され、カードリーダー部７で読み取られた指紋データと照合するユーザーの指紋画像を取り込むための指紋照合部６と、一方の端子が前記電源線と接続され、他方の端子が接地され、カードリーダー部７および指紋照合部６の少なくとも一方が非動作状態の間にパソコン２から余剰電力を充電するための充電用コンデンサ１４を備えるようにした。
さらに、カードリーダー部７のスイッチ１０、指紋照合部６のスイッチ９、および充電用コンデンサ１４のスイッチ１３と接続され、カードリーダー部７および指紋照合部６の少なくとも一方が非動作状態の間に充電用コンデンサ１４を充電し、カードリーダー部７および指紋照合部６の両方が動作状態にある間に余剰電力をカードリーダー部７および指紋照合部６に供給する制御手段として、ＣＰＵ１５を備えるようにした。
【００３６】
このような構成とすることにより、指紋照合に要する全体の時間を短縮することができる。さらに、指紋照合部６およびカードリーダー部７を同時に動作させるための電源コネクタやＡＣアダプターを接続する必要がなく、ＵＳＢの利便性を損なうことのない、優れた指紋照合装置１を得ることができる。
【００３７】
実施の形態２．
図３は、本発明の実施の形態に係る指紋照合装置である。まず、この装置の構成について、実施の形態１と異なる構成を中心に説明する。
図３に示すように、本実施の形態に係る指紋照合装置１は、指紋照合部６およびカードリーダー部７の消費電流を測定するためのモニターとして、ＵＳＢI/F３ｂとＵＳＢ電源８の間の電源線４ｂにＡＤコンバータ２２を備えるようにした。そして、これをＵＳＢマイコン５に設けたＡＤコンバータI/F２３を介してＣＰＵ１５と接続するようにした。その他の構成については、実施の形態１と同様であるので、説明を省略する。
【００３８】
すなわち、指紋照合装置１は、実施の形態１で示した構成に加えて、カードリーダー部７および指紋照合部６の消費電流を測定するための消費電流モニター（ＡＤコンバータ２２）を電源線４ｂに備えるようにした。
そしてＣＰＵ１５が、ＡＤコンバータ２２で測定される消費電流の値により指紋照合部６およびカードリーダー部７の少なくとも一方が非動作状態であると判断した場合に、充電用コンデンサ電源制御Ｉ/Ｆ１６を介して充電用コンデンサ１４のスイッチ１３をＯＮさせ、パソコン２から指紋照合装置１へ余剰電力を供給して充電用コンデンサ１４を充電するようにした。そして充電終了後、スイッチ１３をＯＦＦさせるようにした。
【００３９】
これにより、パソコン２から供給される余剰電力を頻繁に指紋照合装置１に供給することができる。従って実施の形態１と比較して、指紋照合装置１全体の使用電力を効果的に抑えることができる。
【００４０】
次に、図３で示した指紋照合装置１の動作について説明する。
図４は、本実施の形態に係る指紋照合装置１の動作について説明するためのフローチャートである。
以下、図２〜図４を参照しながら、実施の形態１と異なる動作を中心に説明する。
【００４１】
実施の形態１で示した指紋照合装置１の動作（図２参照）は、指紋照合装置１、パソコン２の電源立ち上げ（Ｓ１）と指紋照合指示（Ｓ４）の間に、スイッチ１３をＯＮしてパソコン２より供給される余剰電力を充電用コンデンサ１４に充電するステップ（Ｓ２）と、充電完了後にスイッチ１３をＯＦＦするステップ（Ｓ３）を行うようにした。
これに対し本実施の形態に係る指紋照合装置１の動作では、上記のＳ２とＳ３のステップを行うことなく、Ｓ１〜Ｓ１３（Ｓ２およびＳ３を除く）の全てのステップの間に、図４に示す一連のステップを行うようにする。
【００４２】
ここで、図４に示した一連のステップについて説明する。
まず、図３に示したＣＰＵ１５は、ＡＤコンバータI/F２３を介してＡＤコンバータ２２で測定された消費電流Ｉの値を読み込み、指紋照合部６およびカードリーダー部７の少なくとも一方が非動作状態であるか否かを判断する（Ｓ１４）。Ｉの値がＩ＜Ｉ０（但し、Ｉ０は０より大きい値とする）である場合は、指紋照合部６およびカードリーダー部７の少なくとも一方が非動作状態であると判断する。Ｉの値がＩ≧Ｉ０である場合には、指紋照合部６およびカードリーダー部７の両方が動作状態であると判断する。
【００４３】
Ｓ１４においてＣＰＵ１５が指紋照合部６およびカードリーダー部７の少なくとも一方が非動作状態であると判断した場合には、ＣＰＵ１５が充電用コンデンサ電源制御I/F１６を介して、充電用コンデンサ１４のスイッチ１３をＯＮさせ、パソコン２より供給される余剰電力を充電用コンデンサ１４に充電する（Ｓ１５）。さらに、充電完了後、ＣＰＵ１５は充電用コンデンサ電源制御I/F１６を介して、充電用コンデンサ１４のスイッチ１３をＯＦＦさせて（Ｓ１６）、この後に続くステップに進む。
一方、Ｓ１４においてＣＰＵ１５が指紋照合部６およびカードリーダー部７の両方が動作状態であると判断した場合には、上述のＳ１５およびＳ１６のステップを行うことなく、この後に続くステップに進む。
【００４４】
すなわち、本実施の形態に係る指紋照合装置１の動作は、図２に示したＳ２とＳ３を行うことなく、図４で示した一連のステップを、図２に示したＳ１〜Ｓ１３（Ｓ２およびＳ３を除く）の各ステップの間で行うようにする。
すなわち、本実施の形態に係る指紋照合装置１は、ＣＰＵ１５が指紋照合部６およびカードリーダー部７で消費される消費電流をＡＤコンバータ２２により監視して、その消費電流の値により指紋照合部６およびカードリーダー部７の少なくとも一方が非動作状態であると判断した場合に、パソコン２から供給される余剰電力を充電用コンデンサ１４に充電するようにした。
これにより、パソコン２から供給される余剰電力を頻繁に充電用コンデンサ１４に充電することができる。従って実施の形態１と比較して、指紋照合装置１全体の使用電力を効果的に抑えることができる。
【００４５】
以上説明したように、本実施の形態に係る指紋照合装置は、カードリーダー部７および指紋照合部６の消費電流を測定するための消費電流モニター（ＡＤコンバータ２２）を電源線４ｂに備えるようにした。
このような構成とすることにより、実施の形態１と比較して、指紋照合装置１全体の使用電力を効果的に抑えることができる。
【図面の簡単な説明】
【００４６】
【図１】本発明の実施の形態１に係る指紋照合装置を示す図。
【図２】本発明の実施の形態１に係る指紋照合装置の動作を示す図。
【図３】本発明の実施の形態２に係る指紋照合装置を示す図。
【図４】本発明の実施の形態２に係る指紋照合装置の動作を示す図。
【図５】従来の指紋照合装置を示す図。
【符号の説明】
【００４７】
１  指紋照合装置、２  パソコン、４  ＵＳＢケーブル、４ａ  データ線、４ｂ  電源線、６  指紋照合部、７  カードリーダー部、８  ＵＳＢ電源、１４  充電用コンデンサ、１５  ＣＰＵ、２２  ＡＤコンバータ。
【図１】
2006185086.tif 000003
【図２】
2006185086.tif 000004
【図３】
2006185086.tif 000005
【図４】
2006185086.tif 000006
【図５】
2006185086.tif 000007